(57)【要約】【課題】点検命令信号を送信する親機に異常が生じても、点灯装置部の点検を自動的に行うことのできる照明装置を提供することにある。【解決手段】親機１と、この親機１と通信する通信部２０と誘導灯の点灯装置部２１とを有する子機２と、を備え、通信部２０は、親機１からの点検命令信号Ｘ１を受信して点灯装置部２１を点検する点検信号Ｙ１を点灯装置部２１に送信するとともにその点検結果を点灯装置部２１から点検結果信号Ｙ２として受信して親機１へ点検結果報告信号Ｙ２として送信するものであり、点灯装置部２１は、通信部２０からの点検信号を受信して点灯装置部２１の点検を行ってその点検結果を通信部２０へ送信する照明装置において、親機１の異常を検出する異常検出部２２と、この異常検出部２２が異常を検出したときには子機２単独で点灯装置部２１の点検を行う制御部２３と、この点検の結果を記憶しておく記憶部２４と、を子機２に設けた。【選択図】        図１
2004303596.tif 000002
【特許請求の範囲】
【請求項１】
親機と、この親機と通信する通信部と常時は商用電源からの電力供給によりランプを点灯させ非常時は内蔵された蓄電池により少なくとも所定の時間ランプを点灯させる点灯装置部とを有する子機と、を備え、前記通信部は、親機からの点検命令信号を受信して点灯装置部を点検する点検信号を点灯装置部に送信するとともにその点検結果を点灯装置部から点検結果信号として受信して前記親機へ点検結果報告信号として送信するものであり、前記点灯装置部は、前記通信部からの点検信号を受信して点灯装置部の点検を行ってその点検結果を点検結果信号として前記通信部へ送信するものである照明装置において、前記親機の異常を検出する異常検出部と、この異常検出部が異常を検出したときには前記子機単独で点灯装置部の点検を行う制御部と、この点検の結果を記憶しておく記憶部と、を前記子機に設けたことを特徴とする照明装置。
【請求項２】
前記異常検出部は、親機からの点検命令信号が設定時間以上来ないときに、親機が異常であると検出するものであることを特徴とする請求項１記載の照明装置。
【請求項３】
前記異常検出部は、親機からの点検命令信号が予め定められた信号のものでないときに、親機が異常であると検出するものであることを特徴とする請求項１記載の照明装置。
【請求項４】
前記異常検出部が異常を検出したときに、その異常を表示する異常表示部を前記子機に設けたことを特徴とする請求項１乃至３記載の照明装置。
【請求項５】
前記子機は、前記親機の異常が解消された信号を受けたときに、前記記憶部のデータを前記親機に送信するものであることを特徴とする請求項１乃至４記載の照明装置。
【発明の詳細な説明】
【０００１】
【発明の属する技術分野】
本発明は、防災用照明器具をネットワークに接続することにより、各防災用照明器具の状態の制御あるいは監視を行うことのできる防災用の照明装置に関する。
【０００２】
【従来の技術】
従来、防災用照明器具である誘導灯照明器具は、ランプと、これを収納する器具本体と、常時は商用電源からの電力供給によりランプを点灯させ非常時は内蔵された蓄電池により少なくとも所定の時間ランプを点灯させる点灯装置部と、を備えて構成されている。このものは、非常時などで商用電源が遮断された場合、蓄電池により少なくとも所定の時間はランプを点灯させることにより、誘導灯照明器具の周囲にある避難経路の明るさを確保できるものとなっている。従って、誘導灯照明器具は、非常時に備えて、所定の時間、蓄電池によりランプが点灯できるかどうかの点検を、定期的に行うことが義務づけられている。この点検方法は、具体的には、蓄電池により例えば２０分または６０分間点灯できるかどうかを、人手（例えば、設備の管理者）により個々の誘導灯照明器具に設けられたスイッチを入れることで行うものであり、多数の誘導灯照明器具が取り付いたビルなどではその点検がわずらわしいものとなっていた。
【０００３】
ところで、前記した誘導灯照明器具の点検にかかる手間を少なくできる照明装置として、特開平１８０９８０号公報に開示されたものがある。図Ｘは、これに開示された照明装置のブロック配線図である。このものは、親機１である制御盤と、この親機１と通信する通信部２０と常時は商用電源からの電力供給によりランプを点灯させ非常時は内蔵された蓄電池により少なくとも所定の時間ランプを点灯させる点灯装置部２１とを有する子機２と、を備えて構成されている。
【０００４】
通信部２０は、親機１からの点検命令信号Ｘ１を受信して点灯装置部２１を点検する点検信号Ｙ１を点灯装置部２１に送信するとともにその点検結果を点灯装置部２１から点検結果信号Ｙ２として受信して、さらに親機１へ点検結果報告信号Ｘ２として送信する機能を有するものである。また、点灯装置部２１は、通信部２０からの点検信号Ｙ１を受信して点灯装置部２１の点検を行ってその点検結果を点検結果信号Ｙ２として通信部２０へ送信する機能を有するものである。
【０００５】
このように構成された照明装置は、親機１と子機２とをお互いに信号線で接続することにより、親機１から子機２である誘導灯照明器具を自動的に確認点検することができるものとなっている。例えば、前述した子機２である誘導灯照明器具が所定の時間、蓄電池によりランプを点灯できるかどうかの点検方法は、以下の通りである。まず、人が親機１である制御盤より確認したい子機２を指定する。親機１は、点検命令信号Ｘ１を指定された子機２に向けて送信する。子機２は、この点検命令信号Ｘ１を通信部２０で受信し、通信部２０は、この点検命令信号Ｘ１を点検信号Ｙ１として点灯装置部２１に送信する。点灯装置部２１では、この点検信号Ｙ１を受信して点灯装置部２１が所定の時間、蓄電池によりランプを点灯できるかどうかの点検を行う。そして、この点検結果を点灯装置部２１から点検結果信号Ｙ２として通信部２０に送り、この結果を通信部２０が親機１へ点検結果報告信号Ｘ２として送信する。そして、人は親機１に送信されたデータを確認する。以上の手順により子機２である誘導灯照明器具が所定の時間、蓄電池によりランプを点灯できるかどうかの点検を自動的に行うことができるものとなる。
【０００６】
【特許文献１】
特開平８−１８０９８０号公報
【０００７】
【発明が解決しようとする課題】
ところが上記した、照明装置は、親機１が、点検命令信号Ｘ１を各子機２に送信して点検を行い、その結果を点検結果報告信号Ｘ２として親機１に対して送信して親機１がその情報を蓄積・表示するものであった。しかし、このような照明装置の場合、親機１が正常なときは、子機２で異常が生じてもその異常を検出して表示することは可能であり問題は生じないが、親機１が異常の場合は、子機１は点検命令信号Ｘ１を待ったまま動作しないので照明装置全体が指令待ちの状態となり、照明装置として自動的に点検が行えない状態となる。
【０００８】
本発明は、上記事由に鑑みてなしたもので、その目的とするところは、点検命令信号Ｘ１を送信する親機に異常が生じても、点灯装置部の点検を自動的に行うことのできる照明装置を提供することにある。
【０００９】
【課題を解決するための手段】
請求項１に係る発明の照明装置は、親機と、この親機と通信する通信部と常時は商用電源からの電力供給によりランプを点灯させ非常時は内蔵された蓄電池により少なくとも所定の時間ランプを点灯させる点灯装置部とを有する子機と、を備え、前記通信部は、親機からの点検命令信号を受信して点灯装置部を点検する点検信号を点灯装置部に送信するとともにその点検結果を点灯装置部から点検結果信号として受信して前記親機へ点検結果報告信号として送信するものであり、前記点灯装置部は、前記通信部からの点検信号を受信して点灯装置部の点検を行ってその点検結果を点検結果信号として前記通信部へ送信するものである照明装置において、前記親機の異常を検出する異常検出部と、この異常検出部が異常を検出したときには前記子機単独で点灯装置部の点検を行う制御部と、この点検の結果を記憶しておく記憶部と、を前記子機に設けたことを特徴とする照明装置。
【００１０】
請求項２に係る発明の照明装置は、請求項１において、前記異常検出部は、親機からの点検命令信号が予め定められた信号のものでないときに、親機が異常であると検出するものであることを特徴とする。
【００１１】
請求項３に係る発明の照明装置は、請求項１において、前記異常検出部は、親機からの点検命令信号が予め定められた信号のものでないときに、親機が異常であると検出するものであることを特徴とする。
【００１２】
請求項４に係る発明の照明装置は、請求項１乃至３において、前記異常検出部が異常を検出したときに、その異常を表示する異常表示部を前記子機に設けたことを特徴とする。
【００１３】
請求項５に係る発明の照明装置は、請求項１乃至４において、  前記子機は、前記親機の異常が解消された信号を受けたときに、前記記憶部のデータを前記親機に送信するものであることを特徴とする。
【００１４】
【発明の実施の形態】
本発明の実施の形態を図１〜図４を用いて説明する。図１は照明装置のブロック配線図、図２は親機が正常状態において子機の点検を行うときの親機と子機の動作を示すシーケンス図、図３は子機の点検動作を示すフローチャート図、図４は親機が異常状態において子機の点検を行うときの親機と子機の動作を示すシーケンス図である。
【００１５】
この照明装置は、親機１と、この親機１と通信する通信部２０と常時は商用電源からの電力供給によりランプを点灯させ非常時は内蔵された蓄電池により少なくとも所定の時間ランプを点灯させる点灯装置部２１とを有する子機２と、を備えて構成されている。
【００１６】
親機１は、ビルなどの設備を管理する管理室などに設置された、例えば制御盤であり、子機２である誘導灯照明器具がどのような状態にあるのかを監視する信号や子機を制御する信号を子機２に対して送信するものである。
【００１７】
子機２（子機２−１、子機２−２、子機２−３、・・、子機２−Ｎ）は、一つの親機１に対して複数設けられており、信号線などのネットワーク１００で親機１と接続されている。子機２は、親機１からの監視信号を受けて、ランプの点灯状態やランプの累積の点灯時間などの情報あるいは蓄電池の電池電圧などの情報を信号にして親機１に返信している。子機２に設けられた通信部２０は、親機１からの点検命令信号Ｘ１を受信して点灯装置部２１を点検する点検信号Ｙ１を点灯装置部２１に送信するとともにその点検結果を点灯装置部２１から点検結果信号Ｙ２として受信して親機１へ点検結果報告信号Ｘ２として送信するものである。また、同様に子機２に設けられた点灯装置部２１は、通信部２０からの点検信号Ｙ１を受信して点灯装置部２１の点検を行って、その点検結果を点検結果信号Ｙ２として通信部２０へ送信するものである。
【００１８】
ここで重要なことは、親機１の異常をネットワーク１００を通じて検出する異常検出部２２と、この異常検出部２２が異常を検出したときには子機２単独で点灯装置部２１の点検を行う制御部２３と、この点検の結果を記憶しておく不揮発性メモリで構成された記憶部２４と、異常検出部２２が異常を検出したときにその異常をＬＥＤの点滅によりお知らせする異常表示部２５を子機２に設けたことである。さらに異常検出部２２に前回点検命令信号Ｘ１を受信してからの時間を計測するタイマーを設け、親機１からの点検命令信号Ｘ１が設定時間Ｎ以上来ないときに、親機１が異常であると検出するものとしたことである。そして子機２が親機１の異常が解消された信号を受けたときに、記憶部２４のデータを親機１に送信するものとしたことである。
【００１９】
次に、このように構成された照明装置の動作を説明する。まず、親機１が正常状態において子機２である誘導灯照明器具が所定の時間、蓄電池によりランプを点灯できるかどうかの点検を行うときの動作を説明する。親機１は図２に示すように予め設定された所定の点検スケジュールに従って複数の子機２に点検命令信号Ｘ１を送信する。
【００２０】
子機２は、この点検命令信号Ｘ１を通信部２０で受信し、通信部２０は、この点検命令信号Ｘ１を点検信号Ｙ１として点灯装置部２１に送信する。点灯装置部２１では、この点検信号Ｙ１を受信して点灯装置部２１が所定の時間、蓄電池によりランプを点灯できるかどうかの点検を行う。そして、この点検結果を点灯装置部２１から点検結果信号Ｙ２として通信部２０に送り、この結果を通信部２０が点検結果報告信号Ｘ２として親機１へ送信する。そして、親機１は、この点検結果を所定の表示部に表示する。なお、このとき点検結果信号Ｙ２を受けた通信部２０は、この結果を一時保持し、親機１からの点検結果の確認を依頼する信号を受けて通信部２０が親機１へその結果を送信してもよい。
【００２１】
次に、親機１に異常が発生した場合の動作を説明する。この場合、親機１からは、予め設定された一定周期の点検命令信号Ｘ１を子機２に送信することができない。一方、子機２（子機２−１、・・、子機２−Ｎ）の異常検出部２２は、前回の点検命令信号Ｘ１を受けたときからの経過時間Ｔをカウントしているので、仮に、図３に示したように経過時間Ｔが設定時間Ｎに達しても子機２の通信部２０が親機１からの点検命令信号Ｘ１を受信しなければ、異常検出部２２は、親機１が異常であると検出する。この検出を受けて制御部２３は自動的に所定の時間、蓄電池によりランプを点灯できるかどうかの点検を開始する。そして、点検終了後は、この点検結果を不揮発性メモリで構成された記憶部２４に記憶しておく。また、異常検出部が異常を検出したので、異常表示部２５は、ＬＥＤを点滅させて親機１が異常であることを表示する。そして、親機１の異常が解消された信号（例えば親機１からの復旧信号）が子機２に送られることにより、子機２は記憶部２４にある点検結果データを親機１に送信する。これにより管理者は、親機１が異常を来たしていた間の子機２の情報を親機１で確認できる。
【００２２】
この実施の形態によると、親機１の異常を検出する異常検出部２２と、この異常検出部２２が異常を検出したときには子機２単独で点灯装置部２１の点検を行う制御部２３と、この点検の結果を記憶しておく記憶部２４と、を子機２に設けたことにより、点検命令信号Ｘ１を送信する親機２に異常が生じても、子機２は親機１の異常を異常検出部２２で検出して子機２単独で点灯装置部２１の点検を自動的に行ない、その点検結果を記憶部２４に記憶させておくことができるので、親機１に異常があろうがなかろうが、複数の子機２の点検ができるものとなる。
【００２３】
また、異常検出部２２は、親機１からの点検命令信号Ｘ１が設定時間Ｎ以上来ないときに、親機１が異常であると検出するものであることにより、定期的に行うことが義務づけられた誘導灯照明器具などの点検をほぼ所定の点検スケジュールに従って行なうことができるものとなる。
【００２４】
また、子機２は、親機１の異常が解消された信号を受けたときに、記憶部２４のデータを親機１に送信するものであることにより、親機２が復旧し次第、親機２に記憶部２４に記憶させたデータが取り込まれるので、管理者はその点検結果を親機１で確認できるものとなる。
【００２５】
さらに、異常検出部２２が異常を検出したときに、その異常を表示する異常表示部２５を子機２に設けたことにより、親機１に異常が発生したことがわかりやすいものとなる。なお、この異常表示部２５を異常検出部２２が異常を検出したときに赤色のＬＥＤを点灯させ、制御部２３が子機２単独で点灯装置部２１の点検を行なった結果に不都合が発生した場合に赤色のＬＥＤを点滅させてもよい。これにより親機１の復旧が長引いたとしても、子機２を個々に目視で確認することにより子機２を点検できるものとなる。
【００２６】
なお、この実施の形態では、点灯装置部の点検内容としては、所定の時間、蓄電池によりランプを点灯できるかどうかの内容で説明を行なったが、点検内容はランプの点灯状態やランプの累積の点灯時間などの情報あるいは蓄電池の電池電圧などの情報を確認するものであってもかまわない。
【００２７】
次に、実施の形態の応用例を説明する。図５はこの応用例を示す図で、親機と子機の点検動作を示すフローチャート図である。この応用例は、前述した異常検出部２２の親機１の異常を検出する方法を変えたものである。このものは親機１からの点検命令信号Ｘ１が予め定められた信号のものでないときに、常検出部２２は親機１が異常であると検出している。動作を詳しく説明すると、親機１からの点検命令信号Ｘ１が予め定められた信号のものでないときは、子機２は親機１に点検命令信号Ｘ１を再度送るように要求する。これと同時に子機２は点検命令信号Ｘ１の再送を促した再送要求フラグを立てるとともに再送受信待ちタイマーの動作を開始させる。そして再送受信待ちタイマーがタイムアップするまでに点検命令信号Ｘ１が送られて、この点検命令信号Ｘ１が予め定められた信号のものでないときは、常検出部２２は親機１が異常であると検出する。このとき点検命令信号Ｘ１が予め定められた信号のものであるときは、その点検命令信号Ｘ１に従った動作を子機２が行なう。なお、再送受信待ちタイマーがタイムアップするまでに点検命令信号Ｘ１が送られてこない場合は、常検出部２２は親機１が異常であると検出する。
【００２８】
なお、異常検出部２２が親機１を異常と検出した後の動作は、図４を用いて説明したものと同じである。このものは、親機１からの点検命令信号Ｘ１にノイズが乗ってその波形などが変わってしまった場合などに有効である。
【００２９】
【発明の効果】
請求項１記載の発明にあっては、親機と、この親機と通信する通信部と常時は商用電源からの電力供給によりランプを点灯させ非常時は内蔵された蓄電池により少なくとも所定の時間ランプを点灯させる点灯装置部とを有する子機と、を備え、前記通信部は、親機からの点検命令信号を受信して点灯装置部を点検する点検信号を点灯装置部に送信するとともにその点検結果を点灯装置部から点検結果信号として受信して前記親機へ点検結果報告信号として送信するものであり、前記点灯装置部は、前記通信部からの点検信号を受信して点灯装置部の点検を行ってその点検結果を点検結果信号として前記通信部へ送信するものである照明装置において、前記親機の異常を検出する異常検出部と、この異常検出部が異常を検出したときには前記子機単独で点灯装置部の点検を行う制御部と、この点検の結果を記憶しておく記憶部と、を前記子機に設けたことにより、点検命令信号を送信する親機に異常が生じても、子機は親機の異常を異常検出部で検出して子機単独で点灯装置部の点検を自動的に行なうことができるものとなる。
【００３０】
請求項２記載の発明にあっては、前記異常検出部は、親機からの点検命令信号が予め定められた信号のものでないときに、親機が異常であると検出するものであることにより、請求項１に記載した効果を奏するうえに、定期的に行うことが義務づけられた誘導灯照明器具などの点検をほぼ所定の点検スケジュールに従って行なうことができるものとなる。
【００３１】
請求項３記載の発明にあっては、前記異常検出部は、親機からの点検命令信号が予め定められた信号のものでないときに、親機が異常であると検出するものであることにより、請求項１に記載した効果を奏するうえに、親機からの点検命令信号にノイズが乗ってその波形などが変わってしまった場合に有効なものとなる。
【００３２】
請求項４記載の発明にあっては、前記異常検出部が異常を検出したときに、その異常を表示する異常表示部を前記子機に設けたことにより、請求項１乃至３に記載した効果を奏するうえに、親機に異常が発生したことがわかりやすいものとなる。
【００３３】
請求項５記載の発明にあっては、前記子機は、前記親機の異常が解消された信号を受けたときに、前記記憶部のデータを前記親機に送信するものであることにより、請求項１乃至４に記載した効果を奏するうえに、親機が復旧し次第、親機に記憶部に記憶させたデータが取り込まれるので、管理者はその点検結果を親機で確認できるものとなる。
【図面の簡単な説明】
【図１】本発明の実施の形態に係る照明装置のブロック配線図である。
【図２】同上の照明装置の親機が正常状態において子機の点検を行うときの親機と子機の動作を示すシーケンス図である。
【図３】同上の照明装置の子機の点検動作を示すフローチャート図である。
【図４】同上の照明装置の親機が異常状態において子機の点検を行うときの親機と子機の動作を示すシーケンス図である。
【図５】同上の照明装置の応用例を示す図で、親機と子機の点検動作を示すフローチャート図である。
【図６】従来例に係る照明装置のブロック配線図である。
【符号の説明】
１      親機
２      子機
２０    通信部
２１    点灯装置部
２２    異常検出部
２３    制御部
２４    記憶部
２５    異常表示部
１００  ネットワーク
Ｘ１    点検命令信号
Ｘ２    点検信号
Ｙ１    点検結果報告信号
Ｙ２    点検結果信号
【図１】
2004303596.tif 000003
【図２】
2004303596.tif 000004
【図３】
2004303596.tif 000005
【図４】
2004303596.tif 000006
【図５】
2004303596.tif 000007
【図６】
2004303596.tif 000008